(57)【要約】【課題】  本発明は、いくつもの足冷え防止板を机の膝入れ空間の周りに取り付ける手間を省き、一年中足冷えの心配することなく使用できる机を提供することを課題とする。【解決手段】  少なくとも右側面部３と左側面部４と引出し下面部５とで囲われた膝入れ空間２を有し、少なくとも前記右側面部３及び左側面部４の表面に平板状に形成された足冷え防止板が恒久的に取り付けられている。好ましくは、引出し下面部５及び背面部６の表面にも足冷え防止板が恒久的に取り付けられている構成が好ましい。【選択図】  図１
2009284949.tif 000002
【特許請求の範囲】
【請求項１】
少なくとも右側面部と左側面部と引出し下面部とで囲われた膝入れ空間を有し、少なくとも前記右側面部及び左側面部の表面に平板状に形成された足冷え防止板が恒久的に取り付けられていることを特徴とする机。
【請求項２】
引出し下面部の表面に足冷え防止板が恒久的に取り付けられている請求項１記載の机。
【請求項３】
膝入れ空間の背面が背面部で囲われ、該背面部の表面に足冷え防止板が恒久的に取り付けられている請求項１又は請求項２のいずれか一項記載の机。
【請求項４】
足冷え防止板は発泡樹脂層を有し、炭素若しくはセラミック粉末が発泡樹脂層内に含有されている構成又は炭素若しくはセラミック粉末を含む層が発泡樹脂層表面に設けられている構成の少なくとも一方の構成を有している請求項１乃至請求項３のいずれか一項記載の机。
【請求項５】
足冷え防止板は、それが設けられている表面のほぼ全面に設けられている請求項１乃至請求項４のいずれか一項記載の机。
【発明の詳細な説明】
【技術分野】
【０００１】
本発明は、主に事業所で使用される事務用の机に関する。
【背景技術】
【０００２】
足冷えを防止するためにヒーターパネルを取り付けた事務机は提案されている（例えば、特許文献１参照。）。
【特許文献１】特開平８−２３８１２９号公報
【発明の開示】
【発明が解決しようとする課題】
【０００３】
本発明は、いくつもの足冷え防止板を机の膝入れ空間の周りに取り付ける手間を省き、一年中足冷えの心配することなく使用できる机を提供することを課題とする。
【０００４】
我が国のオフィスは夏季においてクーラーを使用するが、冷気は部屋の床付近に留まるので特にスカートを使用する女性にとって足冷えのする要因となっている。特にスチール製机はクーラーの冷風によってスチールの温度が下がり、温度の下がったスチールからの放射冷却によって、机の膝入れ空間に入れた足が極度に冷やされる。このために季節が夏であるにもかかわらず多くの女性が膝掛けを用いている。しかし、用事があるごとに立ったり座ったりすることがある女性にとって、その都度膝掛けを掛けたり外したりすることは面倒である。
【０００５】
また、特許文献１のように机に取り付けるヒーターが存在するが、電気を使用するためにどのオフィスでも気楽に使用できるものではない。また、スチール製机に取り付けるための、電気を使用せずに遠赤外線を発生させる板が存在するが、膝入れ空間を囲うためにいくつものその板を取り付けることは煩わしい。また、会社において、女性社員が、そのような遠赤外線発生板を使用するために上司にその購入を言い出しづらい。そこで、本発明は、いくつもの足冷え防止板を机の膝入れ空間の周りに取り付ける手間を省き、新たな費用を要せずに一年中足冷えの心配することなく使用できる机を提供しようとするものである。
【課題を解決するための手段】
【０００６】
本発明の請求項１は、少なくとも右側面部と左側面部と引出し下面部とで囲われた膝入れ空間を有し、少なくとも前記右側面部及び左側面部の表面に平板状に形成された足冷え防止板が恒久的に取り付けられている構成である。
【０００７】
請求項２は、引出し下面部の表面に足冷え防止板が恒久的に取り付けられている要素が請求項１に付加された構成である。
【０００８】
請求項３は、膝入れ空間の背面が背面部で囲われ、この背面部の表面に足冷え防止板が恒久的に取り付けられている要素が請求項１又は請求項２のいずれか一項に付加された構成である。
【０００９】
請求項４は、足冷え防止板は発泡樹脂層を有し、炭素若しくはセラミック粉末が発泡樹脂層内に含有されている構成又は炭素若しくはセラミック粉末を含む層が発泡樹脂層表面に設けられている構成の少なくとも一方の構成を有している要素が請求項１乃至請求項３のいずれか一項に付加された構成である。
【００１０】
請求項５は、足冷え防止板が、それが設けられている表面のほぼ全面に設けられている要素が請求項１乃至請求項４のいずれか一項に付加された構成である。
【発明の効果】
【００１１】
請求項１は、少なくとも右側面部と左側面部と引出し下面部とで囲われた膝入れ空間を有し、少なくとも前記右側面部及び左側面部の表面に平板状に形成された足冷え防止板が恒久的に取り付けられている。したがって、机を購入したときに既に足冷え防止板が取り付けられているから、新たに、足冷え防止板を購入して取り付ける手間を省くことができる。また、いくつもの足冷え防止板を取り付ける手間も省くことができる。さらに、会社で使用する際に、社員が気兼ねしながら上司に足冷え防止板の購入を要求する必要がなく、精神的な負担をかけることなく足冷え防止板を使用することができる。
【００１２】
事務用など通常の机は、膝入れ空間に入れた足の太ももと引出し下面部との距離は接近しているので、冷却された引出しからの放射冷却が足の太ももに直接的に影響し、足冷えの原因となっている。請求項２は、引出し下面部の表面にも足冷え防止板が恒久的に取り付けられているので、引出し下面部からの放射冷却が足の太ももに作用せず、足冷えを効果的に防止することができる。また、従来のように足冷え防止板が別体であると、それを引出し下面部に取り付けるときに、引出しの位置が低く膝入れ空間が狭いこともあって体をかがめて行わなければならず手間がかかっていた。請求項２は最初から足冷え防止板が取付け済みであるからそのような手間のかかる作業をする必要がない。
【００１３】
請求項３は、膝入れ空間の背面が背面部で囲われ、この背面部の表面に足冷え防止板が恒久的に取り付けられている。したがって、背面部に最も近い足の膝下部分が冷えることを防止することができる。
【００１４】
請求項４は、足冷え防止板は発泡樹脂層を有し、炭素若しくはセラミック粉末が発泡樹脂層内に含有されている構成又は炭素若しくはセラミック粉末を含む層が発泡樹脂層表面に設けられている構成の少なくとも一方の構成を有している。したがって、炭素又はセラミック粉末により遠赤外線が放射されて、足を暖めることができる。
【００１５】
請求項５は、足冷え防止板が、それが設けられている表面のほぼ全面に設けられている。従来の机のように、別体の発熱用のパネルなどを磁石などで側面部や引出し下面部などの表面の全面に亘って取り付けるときは、パネルが非常に大きくなるのでパネルの持ち運びが面倒であり、取付けにも手間がかかる。また、側面部や引出し下面部や背面部は同じ大きさでないから、種々の大きさのパネルを用意する必要があり、製造業者は多数のサイズのパネルを用意しなければならずコストがかかる原因となる。このようなことで、別体の足冷え防止板を膝入れ空間の側面部や引出し下面部の全面を覆うように取り付けようとするものは存在しなし。請求項５は製造時に足冷え防止板を一緒に取り付けるので、足冷え防止板を全面的に取り付ける工程も部分的に取り付ける工程もコスト面で差がなく、低コストで足冷え防止板を全面的に取り付けることができる。また、全面的に取り付けるので、露出したスチールから放射冷却されることがなく心地よいデスクワークが得られる。
【発明を実施するための最良の形態】
【００１６】
次に本発明の実施形態について説明する。図１は、スチール製事務用机である机１に本発明を適用したものである。膝入れ空間２は、右側面部３と、左側面部４と、中央引出し８の引出し下面部５と、背面部６とで囲われている。右側面部３の表面のほぼ全面に板状の足冷え防止板７が一体的に固着されている。固着は接着剤などを使用する。足冷え防止板７はウレタンを材料とする発泡性樹脂層に炭素又はセラミック粉末を混入して板状に形成したものである。発泡性樹脂層とすることでスチールからの放射冷却を防止することができる。
【００１７】
炭素又はセラミックを混入する構造に代えて炭素又はセラミック粉末含む層を発泡性樹脂層の表面に設ける構造にしてもよい。また、それら両方の構造を同時に用いてもよい。このように、発泡性樹脂層の内部又は表面に炭素又はセラミック粉末を施すことによって、遠赤外線が放射され暖房効果を得ることができる。発泡性樹脂層の原料はウレタンに限定されるものでなく、発泡性樹脂層を形成することができる合成樹脂であればよい。
【００１８】
図１に示すように、背面部６の表面にもほぼ全面的に足冷え防止板９が一体的に固着されている。この足冷え防止板９も足冷え防止板７と同じ構成で形成されている。さらに、左側面部４及び中央引出し８の引出し下面部５の表面にも、足冷え防止板７と同じ構成の足冷え防止板（図示せず。）がそれぞれほぼ全面的に固着されている。
【００１９】
足冷え防止板７，９及びその他の足冷え防止板の表面には、手足が触れたときに冷たい感触を起こさせないために、例えばカシミアやビロード生地のような滑らかな肌触りのする感触に形成された合成樹脂のシートを貼着することが好ましい。従来の机は、スチールや木材で形成され、その表面は塗装されているが全体的に冷たい感じを与えている。そのような冷たい感じの机であっても、膝入れ空間を囲む面の表面にカシミアやビロード生地のような感触のシートが一体的に固着されているので、足冷えに悩まされている女性などが膝を入れるときに足が冷えないという安心感を得られる。さらに、薄いストッキングをはいた足でこのシートに触れたときにも、カシミアやビロード生地のような良好な感触を得ることができる。したがって、スチールに直接ふれたときのような冷たさを感じさせない。
【００２０】
このように、表面にカシミアやビロード生地のような感触のシートを一体的に固着した机の板部材はこれまで存在しなかったので、本発明の机は新規な部材を使用した机であるといえる。また、このようなシートに代えてビニールシートを使用してもよい。これらの合成樹脂のシートに炭素又はセラミック粉末を混入しておくことによって、炭素又はセラミック粉末を含む層を発泡樹脂層の表面に設けることができる。
【図面の簡単な説明】
【００２１】
【図１】本発明の斜視図
【符号の説明】
【００２２】
１  机
２  膝入れ空間
３  右側面部
４  左側面部
５  引出し下面部
６  背面部
７  足冷え防止板
８  中央引出し
９  足冷え防止板
【図１】
2009284949.tif 000003